(57)【要約】【課題】押圧や衝撃、振動、落下などがあっても確実に上蓋を閉鎖保持可能で、上蓋先端に誤開封する異物が挿入できない機構を有し、安価で生産性の高い蓋部材を得る。【解決手段】開口部（２１）を有する枠部（２）と、前記開口部を覆う上蓋（４）と、からなる開閉可能な蓋部材において、枠部と上蓋はヒンジ（５）で繋がり、枠部と上蓋とのヒンジと反対側に、互いに嵌合する係止部を有し、上蓋の係止部近傍の枠部に、可撓性の押し込み部（６）を有し、押し込み部天面と上蓋の係止部端面とが当接していることを特徴とする蓋部材。【選択図】図２
2019069788.tif 000002
【特許請求の範囲】
【請求項１】
開口部を有する枠部と、前記開口部を覆う上蓋と、からなる開閉可能な蓋部材において、
枠部と上蓋はヒンジで繋がり、
枠部と上蓋とのヒンジと反対側に、互いに嵌合する係止部を有し、
上蓋の係止部近傍の枠部に、可撓性の押し込み部を有し、
押し込み部天面と上蓋の係止部端面とが当接していることを特徴とする蓋部材。
【請求項２】
可撓性の押し込み可能な押し込み部が、押し釦とその周縁から下方に伸びる上部側壁と、上部側壁下端周縁から傾斜した斜面を有する薄肉の傾斜段部と、傾斜段部周縁から枠部との固定面に向って縦に伸びる薄肉の下部側壁と、から構成され、押し込み部を固定する下部側壁に繋がる枠部固定面と上蓋の係止部とが、指を挿入可能な隙間を有していることを特徴とする請求項１に記載の蓋部材。
【請求項３】
開口部が、脆弱部を介して、開封可能な密封内蓋を有することを特徴とする請求項１又は２に記載の蓋部材。
【請求項４】
上蓋内側と開口部周縁の間に、互いに密封可能な嵌合突起と嵌合凹部とを有していることを特徴とする請求項１〜３のいずれかに記載の蓋部材。
【請求項５】
請求項１〜４のいずれかに記載の蓋部材を有することを特徴とする容器。
【発明の詳細な説明】
【技術分野】
【０００１】
本発明は、コンパクトやウェットティッシュ、薬等の保存容器に用い、蓋を誤って開封してしまうことを防止できる蓋部材、および、それを有する容器に関する。
【背景技術】
【０００２】
クリームタイプ、リキッドタイプなどのファンデーションを収納するコスメティックコンパクトや、ウェットティッシュ、化粧落としなど、液体を含有した不織布や紙素材などを収納する軟包装材料、あるいは硬質の射出成形容器などで構成される容器は、開封後、内部の揮発成分等が抜けないように、かつ、内容物が漏れて、ハンドバック内部などを汚すことがないよう、蓋を設けた容器が必要である。
【０００３】
以上の問題に対し、特許文献１では、ウェットティッシュを収納する包装用袋体が、ウェットティッシュを取り出す為の裂け目、あるいは窓部を有し、その窓部を窓部よりも大きな形状の封止シートが、封止シート裏面に形成した粘着層を介して覆い、粘着層によって止着することによって、袋体内部のウェットティッシュが乾かず、また、水等が外に漏れない包装用袋体を提案している。
【０００４】
しかしながら、この容器は、粘着剤を使用しているので、その部分に容器内部の液体が浸みだして、粘着剤の粘着力が低下し、封止シートがめくれてしまう問題が発生しやすい。
また、包装用袋体も、封止シートも可撓性の高いフィルムで構成されているので、シワなどによって、部分的に密着していない箇所を生じ易く、密封性が不確実で、特に、長期に渡って保存した時には、内部の液体が揮発して乾燥してしまうなどの問題があった。
【０００５】
また、特許文献２では、射出成形された取り出し用の取出口と、ヒンジを介して起倒可能な取出口を開閉する蓋板を有すると共に、簡易弾性反転手段によって閉蓋、開蓋態勢を維持可能としたことを特徴とする蓋板付き取出口を提案している。
【０００６】
この蓋板付き取出口は、後端部上面を簡易弾性反転手段なる短突片が滑動し、蓋板を弾性変形させつつ、弾力に抗して起立、あるいは閉蓋態勢に保持する機構を構築している。しかし、この方法では、口板と蓋板が別体で形成されているので、金型、成形、組み立てなどでコストが掛かり、また、閉蓋時の閉鎖力が大きくできないので、かばんの中でゆれて、他のものが蓋部に当たったり、かばんが落下したりするなどして、わずかな押圧や衝撃、振動などで蓋と容器の間に隙間が生じ、蓋先端にペンシル状のアイライナーや口紅が突き刺さるなどして、誤開封してしまうなど、密封性に不確実性が伴う問題があった。
さらに、このような取出口は、単に閉蓋を確実にしようとすると、閉蓋の嵌合をきつくするしか手段がなく、反対に、蓋が開けにくく、使用勝手が悪くなるなどの問題もあった。
【先行技術文献】
【特許文献】
【０００７】
【特許文献１】実開平１−６３４９１号公報
【特許文献２】特許第３７２５３５０号公報
【発明の概要】
【発明が解決しようとする課題】
【０００８】
そこで、押圧や衝撃、振動、落下などがあっても確実に上蓋を閉鎖保持可能で、上蓋先端に誤開封する異物が挿入できない機構を有し、安価で生産性の高い蓋部材を得ることが
本発明の課題である。
【課題を解決するための手段】
【０００９】
本発明の誤開封防止蓋部材は、
開口部を有する枠部と、前記開口部を覆う上蓋と、からなる開閉可能な蓋部材において、枠部と上蓋はヒンジで繋がり、
枠部と上蓋とのヒンジと反対側に、互いに嵌合する係止部を有し、
上蓋の係止部近傍の枠部に、可撓性の押し込み部を有し、
押し込み部天面と上蓋の係止部端面とが当接していることを特徴とする蓋部材である。
【発明の効果】
【００１０】
本発明の蓋部材は、指先を差し込む挿し込み部脇に、指の挿し込みを阻止する押し込み部を有し、開蓋時に前記押し込み部を押し込むことによって、挿し込み部に指先を差し込み、ロックを解除可能となる。小さな振動や衝撃があっても、確実に閉蓋状態を保持することができる蓋部材である。また、ヒンジで蓋部と開口部を一体で生産可能なので、金型も最少でかつ、安価に生産可能である。
【図面の簡単な説明】
【００１１】
【図１】本発明の蓋部材において、密封内蓋が未開封で、かつ、上蓋を開けた状態の平面図である。
【図２】本発明の蓋部材において、上蓋を開けた状態における側面図と、その断面図である。
【図３】本発明の蓋部材において、上蓋を閉めて係止した状態から、係止を外して上蓋を開ける工程を示す縦断面図である。
【図４】本発明の蓋部材において、上蓋と、枠部と、それらが嵌合した蓋部材を包装袋に融着した包装容器における開口部の縦断面図と、枠部の正面外観図である。
【図５】本発明の蓋部材において、上蓋を閉めて封止した状態を示す平面図である。
【図６】本発明の蓋部材において、密封内蓋が未開封で、かつ、上蓋を開けた状態の底面図である。
【図７】本発明の蓋部材において、上蓋と枠部とからなる蓋部材を包装袋に融着した包装容器の別の実施形態例における縦断面図である。
【発明を実施するための形態】
【００１２】
以下、本発明の蓋部材の実施形態例について、図を用いて詳細に説明する。
図１は、本発明の蓋部材１において、枠部２の中央に設けた開口部２１に設けられた密封内蓋３が未開封で、かつ、開口部２１を覆う上蓋４を開けた状態における平面図である。枠部２と上蓋４はヒンジ５で繋がり、枠部２のヒンジ５反対側に押し込み部６を有している。
枠部２は、外周囲に包装袋と融着可能なフランジ２２を有し、中央に開口部２１を有している。開口部２１の周縁に、封止突起２３を上蓋側に突出して、内側封止リング４１１と外側封止リング４１２からなる封止リング４１に挿嵌し、封止可能になっている。
外側封止リング４１２のヒンジ反対側は、特に封止突起２３に強く嵌合して係止可能な係止突起４１０になっている。
さらに、封止突起２３の外側には、上蓋４の外周突起４２と挿嵌可能な嵌合突起２４を有している。
【００１３】
開口部２１には、脆弱部３１を介して、開封可能な密封内蓋３が設けられている。
密封内蓋３には、脆弱部３１の周縁の一端に支柱３２を形成し、支柱３２に繋着した開封リング３３を有している。
脆弱部３１は、開口部内側に沿って周設するように構成されている。
この為、開封リング３３を持ち上げると、支柱３２から開口部周縁に沿って密封内蓋３の脆弱部３１を破断させながら開口可能となる。
【００１４】
押し込み部６は、中央に押し釦６１があって、その押し釦６１上面はフランジや上蓋が閉まった状態の上面位置に近い高さに形成されている。
【００１５】
図２は、本発明の蓋部材において、図２−１が上蓋４を開けた状態における側面図で、図２−２がその断面図である。
上蓋４は、枠部２にヒンジ５を介して回動可能に繋止し、上蓋４を回動することによって開閉し、開口部２１から内容物を取り出し可能にしている。
開口部２１には、密封内蓋３が脆弱部３１を介して封止し、密封内蓋３の外面側に、支柱３２を介して開封リング３３が繋止されている。
【００１６】
枠部２のヒンジ５と反対側の嵌合突起２４は、切り欠かれ、上蓋４を開封しやすくしている。
【００１７】
押し込み部６は、その断面を、拡大断面図で示した。押し込み部６は、押し釦６１と、上部側壁６２と、傾斜段部６３と、下部側壁６４から構成されている。
押し釦６１は、押し込み部６の上端にあって、ほぼ周囲のフランジ２２の上面と同じ高さに設定されていて、一定の厚みを持った剛性のある面を形成している。
上部側壁６２は、押し釦６１周縁から下方に垂下し、傾斜段部６３に繋がっていて、その繋ぎ目は特に薄肉で、変形可能なゴム状の可撓性を有し、下方に向って薄肉に変化し、下方は変形可能な側壁としている。
傾斜段部６３は、上部側壁６２下端から周縁にフランジ状に広がり、かつ、周縁が上方に傾斜しており、薄肉で、可撓性があり、その傾斜角度が変化可能に形成されている。
下部側壁６４は、傾斜段部６３周縁から下方に垂下し、枠底２５に繋がっている。枠底２５との繋がり部分は強固に固定されているが、傾斜段部６３との繋ぎ目は薄肉で、上方は変形可能なゴム状の可撓性を有している。
【００１８】
枠底２５がフランジよりも充分に低く設けているのは、成形によるフランジのゆがみが生じにくくさせる為である。また、押し込み部周縁の枠底２５は、上蓋４が封止リング４１と封止突起２３に挿嵌している状態から、指先を上蓋先端に差し込み、上蓋４を引き上げる隙間を作って、開口し易くする為、充分な深さを必要としている。
【００１９】
図３は、本発明の蓋部材において、上蓋４を閉めて係止した状態から、係止を外し、上蓋４を開ける工程を示す縦断面図である。
図３−１では、上蓋４のヒンジ反対側裏側に設けられた係止突起４１０があって、封止突起２３外側の突起部分に係止し、閉蓋状態に維持可能としている。
封止突起２３先端の内側面には、内側封止リング４１１が当接している。
この内側封止リング４１１は、蓋板４０に対して、やや外側に傾斜した封止リング形状になっていて、確実に封止し、密閉を確実としている。
ここで、押し釦６１上面は、フランジ２２上面とほぼ同じ高さになっていて、上蓋４の先端内側にスティック状の尖ったものが入り込もうとしても、阻止できるようになっている。
【００２０】
図３−２では、押し込み部６に指先を押し込んで、押し釦６１上面が下方に押し込まれた状態を示す縦断面図である。
押し釦６１が押し込まれると、押し釦６１に繋がる上部側壁６２も下方中央寄りに押し込まれ圧縮される。そして、上部側壁６２に繋がる傾斜段部６３は、外側周縁が一旦外側にも広げられた後、さらに押し込まれると、全体に下方に伸ばされながら中央に寄っていく
。そして、傾斜段部６３に繋がる下部側壁６４は、下方中央寄りに傾斜しながら圧縮される。
このようにして、押し込み部６が内側下方に押し込まれることによって、上蓋４先端の内側に指先が挿入可能となる。
そして、指先は上蓋４先端に引掛けることができるので、強い力を上蓋４に掛けて、上蓋４内側のヒンジ反対側に設けた係止突起４１０を封止突起から外し、上蓋４を容易に開封することができる。
【００２１】
図３−３に、指先を上蓋４の先端に引掛けて、ヒンジ５を軸に上蓋４を回動させて開口し、密閉内蓋３を開封した状態を示した。
密閉内蓋３を開封するには、密閉内蓋３の開封リング３３を一端回動させて、支柱３２近傍の脆弱部３１を梃子の原理を使用して引き裂き、引き続き脆弱部３１の伸びる線に沿って引き裂いて、密閉内蓋３を開口部２１から外せば良い。
【００２２】
図４は、上蓋４と、枠部２と、それらが嵌合した蓋部材を包装袋７に融着した包装容器１における開口部中心で切断した各々の縦断面図と、枠部の外観を示す正面図である。
図４−１は、上蓋４の横断面図で、蓋板４０から内側に垂下した内側封止リング４１１と、外側封止リング４１２とからなる封止リング４１である。
内側封止リング４１１は、蓋板４０に対して、やや外側に傾斜したリング形状になっている。
【００２３】
図４−２は、密封内蓋３が未開封状態における枠部２の横断面図である。
外周囲に包装袋と融着可能なフランジ２２を有し、中央に開口部２１があって、密封内蓋３で閉鎖されている。
密封内蓋３の周囲には脆弱部３１があって、開口部周縁の枠部２と繋がって、開口部２１を封止している。また、密封内蓋には、支柱３２を介して開封リング３３が繋止されている。
開口部２１の周縁には、封止突起２３が上蓋側に突出して形成されている。
さらに、封止突起２３の外側には、上蓋４の外周突起４２と挿嵌可能な嵌合突起２４を有している。
【００２４】
図４−３は、ヒンジ反対側から見た、蓋部材の外観を示す正面図である。
フランジ２２の上方に、嵌合突起２４が周設されている。嵌合突起２４の正面側中央は切り欠かれ、押し込み釦は突出せず、わずかに、上蓋４の上面が見えるだけで、上蓋先端に指先等を差し込みにくくなっている。
【００２５】
図４−４は、上蓋４と枠部２が嵌合した蓋部材に、包装袋７が融着し、かつ、内部に内容物であるウェットティッシュ８を収納した包装容器１における開口部近傍の縦断面図である。
フランジ２２外面側に、包装袋７の開口部内面が融着し、枠部２の嵌合突起２４内側に上蓋４の外周突起４２が挿嵌している。
また、枠部２の封止突起２３を内側封止リング４１１と外側封止リング４１２とが挟み込むようにして封止している。
封止突起２３外側先端近傍には係止しやすいように外側に膨らんだ突起形状を有し、かつ、内外の先端近傍には曲線部（曲面部）が設けられている。
さらに、内側封止リング４１１が外側に傾斜しているので、上蓋４を閉める時に、内容物が封止突起２３内側に付着していても、拭いながら閉鎖し、密封性を低下させず、確実に封止可能とすることができる。
特に密封内蓋３は、脆弱部３１が封止突起２３内面よりもさらに内側に設けているので、密封内蓋３を開封する時に、封止突起２３を傷めずに開封可能である。
【００２６】
図５は、本発明の蓋部材において、上蓋４を閉めて係止した状態を示す平面図である。ヒンジ５を介して上蓋４が回動し、嵌合突起２４の内側に上蓋４が挿嵌している。
押し込み部６は、上蓋４とフランジ２２との隙間にあって、わずかな隙間しかないので、指先はもとより、アイブロー、アイライン、マスカラ、ブラシ、口紅などのスティック状のものが入り込めないようになっている。
【００２７】
図６は、本発明の蓋部材において、密封内蓋３が未開封で、かつ、上蓋４を開けた状態の底面図である。
【００２８】
図７は、本発明の蓋部材において、枠部２と上蓋４とからなる蓋部材を包装袋７に融着した包装容器１の別の実施形態例における縦断面図である。
この蓋部材には、密封内蓋が形成されていない。そして、包装袋７は、蓋部材の開口部２１よりも一回り小さな袋開口部７０を融着側に有している。
図７−１は、袋開口部７０外側周縁が、蓋部材の開口部２１内側周縁の枠底２５に融着している。
袋開口部７０の端部と、開口部２１との間には、充分な間隔が設けられていて、袋開口部７０の外側に、枠底２５より内側の未融着部外側には、内側に粘着層を有する開閉可能なシール蓋７１を粘着可能にしている。
この包装容器に使用する包装袋７は、ガゼットタイプの包装袋が好ましい。
【００２９】
図７−２は、シール蓋７１を包装袋７の袋開口部７０から剥離し、内容物８のウェットティッシュを取り出した状態を示す断面図である。
シール蓋７１は、周縁の一端に、周囲よりも外側に伸びて、内側に粘着層が無い、つまみ部７２を有している。粘着層が無く、周囲よりも外側に飛び出しているので、そのつまみ部７２は、容易につかむことができる。
つまみ部７２をつかんで、シール蓋７１を外側に引っ張ると、容易に袋開口部７０から剥離し、包装容器を開口することができる。
このシール蓋７１は、つまみ部７２と反対側を融着して、取り外した時に紛失しないようにしても良い。
【００３０】
本発明の蓋部材に使用する材料は、高圧法低密度ポリエチレン、直鎖状低密度ポリエチレン、中密度ポリエチレン、高密度ポリエチレン、ブロック・エチレン・ポリプロピレン共重合体、ランダム・エチレン・ポリプロピレン共重合体、エチレン・酢酸ビニル共重合体などの樹脂単体、あるいはそれらを混合した熱可塑性で融着性の高い樹脂が使用できる。
これらは、射出成形金型を用い、一般的な射出成形機で量産できるので、生産性も高い。
【００３１】
本発明の包装袋に使用する積層フィルムは、内面に高圧法低密度ポリエチレン、直鎖状低密度ポリエチレン、エチレン・酢酸ビニル共重合体などの融着性の高い熱可塑性樹脂を使用し、基材として外側に、２軸延伸されたポリエチレンテレフタレート樹脂、２軸延伸ポリアミド樹脂、２軸延伸ポリプロピレン樹脂などの樹脂フィルムを積層した積層フィルムを使用することができる。
さらに、内面と基材の中間にアルミニウムなどの金属箔や、酸化珪素などの酸化金属を蒸着した蒸着層を積層したり、ポリアミドなどの可撓性の高い樹脂層を積層した積層フィルムを使用してもよい。
これらは、一般的なドライラミネーション機やエクストルーダーラミネーション機などによって製造できる。
もちろん、包装袋を融着せず、融着フランジの代わりに、誤開封防止蓋部材全体が容器の上蓋になって、その下方に容器本体を挿嵌した容器にすることも可能である。
【００３２】
本発明の蓋部材は、押し込み部として、可撓性があって、押し込みしても、バネ性が高く、押し込み部から指先を離せば、直ぐにフランジの高さまで戻るように形状記憶された構造になっている。この為、上蓋と押し込み部との隙間が狭く、アイブロー、アイライン、マスカラ、ブラシ、口紅などのスティック状のものが入り込むほどの隙間がなく、誤動作で、上蓋が開封することを阻止することができる。
上蓋先端の係止突起は、枠部の封止突起に強く係止可能な嵌合にすることができ、開封時には、指先で押し込み部を押し込み、その状態で上蓋先端に指先を引掛けて開けることができるので、開封操作も簡単で、かつ、容易である。
しかも、密封内蓋を内側に設けられるので、長期保存にも対応できると共に、ヒンジで上蓋と枠部を一体で生産可能なので、金型も最少で、生産性も高く、かつ、安価に生産可能であるなど、本発明のメリットは高い。
【符号の説明】
【００３３】
１・・・・・・・・・包装容器
２・・・・・・・・・枠部
２１・・・・・・・・開口部
２２・・・・・・・・フランジ
２３・・・・・・・・封止突起
２４・・・・・・・・嵌合突起
２５・・・・・・・・枠底
３・・・・・・・・・密封内蓋
３１・・・・・・・・脆弱部
３２・・・・・・・・支柱
３３・・・・・・・・開封リング
４・・・・・・・・・上蓋
４０・・・・・・・・蓋板
４１・・・・・・・・封止リング
４１０・・・・・・・係止突起
４１１・・・・・・・内側封止リング
４１２・・・・・・・外側封止リング
４２・・・・・・・・外周突起
５・・・・・・・・・ヒンジ
６・・・・・・・・・押し込み部
６１・・・・・・・・押し釦
６２・・・・・・・・上部側壁
６３・・・・・・・・傾斜段部
６４・・・・・・・・下部側壁
７・・・・・・・・・包装袋
７０・・・・・・・・袋開口部
７１・・・・・・・・シール蓋
８・・・・・・・・・内容物（ウェットティッシュ）
【図１】
2019069788.tif 000003
【図２】
2019069788.tif 000004
【図３】
2019069788.tif 000005
【図４】
2019069788.tif 000006
【図５】
2019069788.tif 000007
【図６】
2019069788.tif 000008
【図７】
2019069788.tif 000009